(57)【特許請求の範囲】
【請求項１】
左右の縦枠と、上下の横枠と、横枠間に架設した複数の方立とを備え、左右の柱と上下の構造体とで形成される開口部に取付けるものであり、方立間にＦＩＸ障子が設けてあり、縦枠と方立の間の空間を開閉する開閉障子が設けてあり、ＦＩＸ障子と、方立又は横枠の間に荷重吸収部材が設けてあり、少なくとも縦枠側に位置する方立は、下端部を直接又は間接的に構造体に緊結してあり、各縦枠は柱に固定してあることを特徴とする窓。
【請求項２】
左右の縦枠と、上下の横枠と、横枠間に架設した複数の方立と、横枠間に架設してあり且つ各縦枠に隣り合う縦材とを備え、左右の柱と上下の構造体で形成される開口部に取付けるものであり、方立間の空間を開閉する開閉障子が設けてあり、縦材と方立の間にＦＩＸ障子が設けてあり、ＦＩＸ障子と縦材及び方立の間、又はＦＩＸ障子と横枠の間に荷重吸収部材が設けてあり、方立と、縦材又は縦枠の下端部を直接又は間接的に構造体に緊結してあり、各縦枠は柱に固定してあることを特徴とする窓。
【請求項３】
左右の縦枠と、上下の横枠と、横枠間に架設した方立と、横枠間に架設してあり且つ一方の縦枠に隣り合う縦材とを備え、左右の柱と上下の構造体で形成される開口部に取付けるものであり、縦材と方立の間にＦＩＸ障子が設けてあり、他方の縦枠と方立の間の空間を開閉する開閉障子が設けてあり、ＦＩＸ障子と縦材及び方立の間、又はＦＩＸ障子と横枠の間に荷重吸収部材が設けてあり、方立と、縦材又は一方の縦枠の下端部を直接又は間接的に構造体に緊結してあり、各縦枠は柱に固定してあることを特徴とする窓。
【発明の詳細な説明】
【技術分野】
【０００１】
本発明は、家屋のテラス窓等の開口部を補強する窓に関する。  
【背景技術】
【０００２】
一般に、古い家屋等を耐震補強することが求められていた。  
【先行技術文献】
【特許文献】
【０００３】
【特許文献１】なし
【発明の概要】
【発明が解決しようとする課題】
【０００４】
そこで、本発明は、古い家屋等を耐震補強できる窓の提供を目的とする。  
【課題を解決するための手段】
【０００５】
請求項１に記載の発明は、左右の縦枠と、上下の横枠と、横枠間に架設した複数の方立とを備え、左右の柱と上下の構造体とで形成される開口部に取付けるものであり、方立間にＦＩＸ障子が設けてあり、縦枠と方立の間の空間を開閉する開閉障子が設けてあり、ＦＩＸ障子と、方立又は横枠の間に荷重吸収部材が設けてあり、少なくとも縦枠側に位置する方立は、下端部を直接又は間接的に構造体に緊結してあり、各縦枠は柱に固定してあることを特徴とする窓である。  
【０００６】
請求項２に記載の発明は、左右の縦枠と、上下の横枠と、横枠間に架設した複数の方立と、横枠間に架設してあり且つ各縦枠に隣り合う縦材とを備え、左右の柱と上下の構造体で形成される開口部に取付けるものであり、方立間の空間を開閉する開閉障子が設けてあり、縦材と方立の間にＦＩＸ障子が設けてあり、ＦＩＸ障子と縦材及び方立の間、又はＦＩＸ障子と横枠の間に荷重吸収部材が設けてあり、方立と、縦材又は縦枠の下端部を直接又は間接的に構造体に緊結してあり、各縦枠は柱に固定してあることを特徴とする窓である。  
【０００７】
請求項３に記載の発明は、左右の縦枠と、上下の横枠と、横枠間に架設した方立と、横枠間に架設してあり且つ一方の縦枠に隣り合う縦材とを備え、左右の柱と上下の構造体で形成される開口部に取付けるものであり、縦材と方立の間にＦＩＸ障子が設けてあり、他方の縦枠と方立の間の空間を開閉する開閉障子が設けてあり、ＦＩＸ障子と縦材及び方立の間、又はＦＩＸ障子と横枠の間に荷重吸収部材が設けてあり、方立と、縦材又は一方の縦枠の下端部を直接又は間接的に構造体に緊結してあり、各縦枠は柱に固定してあることを特徴とする窓である。  
本願において、開閉障子とは、スライドや回動により開閉する障子であり、引戸障子や開き障子等をいう。
【発明の効果】
【０００８】
請求項１〜３にかかる窓を、左右の柱と上下の構造体とで形成される開口部に取付けることで、古い家屋等を耐震補強できる。  
本発明にかかる窓において、各縦枠、方立、縦材及び横枠や、ＦＩＸ障子及び開閉障子に断熱性を有するものを用いれば、断熱性を高めることができる。また、開口部に筋交いを用いて補強するものでないので、意匠性を損ねない。そして、開口部を出入り口として用いる場合の障害にならない。  
【図面の簡単な説明】
【０００９】
【図１】本発明の第１実施の形態にかかる窓を施工したテラス窓の開口部を室内側から見た正面図である。
【図２】図１に示すテラス窓の開口部において、窓の開閉障子を開いてＦＩＸ障子に重ねた状態を図１のＡ−Ａ位置で切断して示す断面図である。
【図３】図１に示すテラス窓の開口部をＢ−Ｂ位置で切断して示す断面図である。
【図４】図１に抜き出して示す方立の緊結部分をＣ−Ｃ位置で切断して示す断面図である。
【図５】図４に示す方立の緊結部分の分解斜視図である。
【図６】荷重吸収部材の取付け状態を示すＦＩＸ障子の図であり、（ａ）は正面図であり、（ｂ）は（ａ）に示すＮ部の拡大図、（ｃ）は（ｂ）に示すＭ−Ｍ断面図である。
【図７】ＦＩＸ障子が水平荷重により変形した状態を示す正面図である。
【図８】荷重吸収部材及びこれを取付けている各部材の図であり、（ａ）はＦＩＸ障子の上枠の正面図、（ｂ）は上枠の側面図、（ｃ）は上補助枠の正面図、（ｄ）は上補助枠の側面図、（ｅ）は荷重吸収部材の正面図である。
【図９】本発明の第２実施の形態にかかる窓を施工したテラス窓の開口部を室内側から見た正面図である。
【図１０】図９で抜き出して示す方立の緊結部分を示す図であり、（ａ）は縦断面図であり、（ｂ）は分解斜視図であり、（ｃ）は（ａ）に示すＥ−Ｅ断面図であり、（ｄ）は（ｂ）に示すＦ−Ｆ断面図である。
【図１１】本発明の第３実施の形態にかかる窓を施工したテラス窓の開口部を室内側から見た正面図である。
【図１２】図１１に示すテラス窓の開口部をＧ−Ｇ位置で切断して示す断面図である。
【図１３】本発明の第４実施の形態にかかる窓を施工したテラス窓の開口部を室内側から見た正面図である。
【図１４】本発明の第５実施の形態にかかる窓を施工したテラス窓の開口部を室内側から見た正面図である。
【図１５】図１４に示すテラス窓の開口部をＢ−Ｂ位置で切断して示す断面図である。
【図１６】本発明の第６実施の形態にかかる窓であって、荷重吸収部材の取付け状態を示すＦＩＸ障子の図であり、（ａ）は正面図であり、（ｂ）は（ａ）に示すＮ部の拡大図、（ｃ）は（ｂ）に示すＭ−Ｍ断面図である。
【図１７】図１６に示すＦＩＸ障子が水平荷重により変形した状態を示す正面図である。
【図１８】本発明の第７実施の形態にかかる窓を施工したテラス窓の開口部を室内側から見た正面図である。
【図１９】図１８に示すテラス窓の開口部において、窓の開閉障子を開いてＦＩＸ障子に重ねた状態を図１８のＡ−Ａ位置で切断して示す断面図である。
【図２０】図１８に示すテラス窓の開口部をＢ−Ｂ位置で切断して示す断面図である。
【図２１】図１８に示す窓の施工手順を説明する図であり、（ａ）は四周枠ユニットの組み立てを示す分解斜視図であり、（ｂ）はＦＩＸ障子の組み立てを示す分解斜視図である。
【図２２】図１８に示す窓の施工手順を説明する図であり、（ｃ）は四周枠ユニットの躯体への取り付けを示す正面図であり、（ｄ）はＦＩＸ障子の建込を示す斜視図である。
【図２３】図１８に示す窓の施工手順を説明する図であり、（ｅ）は押縁及び目板の取り付けを示す斜視図であり、（ｆ）は開閉障子の建込を示す斜視図である。
【図２４】第７実施の形態において、荷重吸収部材の取付け状態を示す図であり、（ａ）は荷重吸収部材を上框に取り付ける前の状態を室内側から見た斜視図であり、（ｂ）は荷重吸収部材を取り付けた上框に上補助枠を取り付ける前の状態を室外側から見た斜視図である。
【図２５】第７実施の形態において、ＦＩＸ障子が水平荷重により変形した状態を示す正面図である。
【図２６】本発明の第８実施の形態にかかる窓を施工したテラス窓の開口部を室内側から見た正面図である。
【図２７】図２６に示すテラス窓の開口部において、窓の開閉障子を開いてＦＩＸ障子に重ねた状態を図２６のＣ−Ｃ位置で切断して示す断面図である。
【図２８】図２６に示すテラス窓の開口部をＤ−Ｄ位置で切断して示す断面図である。
【図２９】本発明の第９実施の形態にかかる窓を施工したテラス窓の開口部を室内側から見た正面図である。
【図３０】図２９に示すテラス窓の開口部において、窓の開閉障子を開いてＦＩＸ障子に重ねた状態を図２９のＥ−Ｅ位置で切断して示す断面図である。
【図３１】図２９に示すテラス窓の開口部をＦ−Ｆ位置で切断して示す断面図である。
【図３２】本発明の第１０実施の形態にかかる窓に用いるＦＩＸ障子の図であり、（ａ）は室内側から見た正面図であり、（ｂ）は（ａ）に示すＧ−Ｇ断面図であり、（ｃ）は（ａ）に示すＨ−Ｈ断面図である。
【発明を実施するための形態】
【００１０】
以下に、添付図面を参照して本発明の実施の形態を説明するが、まず、図１〜図８を参照して本発明の第１実施の形態について説明する。  
図１に示すように、第１実施の形態にかかる窓１は、家屋の１階にあるテラス窓の開口部３に取り付けて家屋の耐震補強をするものである。開口部３は、左右の柱５ａ、５ｂと、上下の構造体７ａ、７ｂとで形成してあり、上構造体７ａは下から上へ窓まぐさ９、束１１及び梁１３で構成してあり、下構造体７ｂは上から下へ窓台１５、土台１７、基礎１９とで構成してあり、開口部３の内周は、左右の柱５ａ、５ｂ、窓まぐさ９及び窓台１７で区画されている。尚、以下に説明する実施の形態において、左は室内側から開口部３を見たときの左であり、右は同様に室内側から見て右である。  
図２及び図３に示すように、開口部３の室外側には、外障子２１及び網戸２３が設けてある。図１に示すように、開口部３の内周に取り付ける窓１は、左右の縦枠２５ａ、２５ｂと、上下の横枠２７ａ、２７ｂと、上横枠２７ａと下横枠２７ｂとの間に架設した左方立（左縦枠側に位置する方立）２９ａ、右方立（右縦枠側に位置する方立）２９ｂと、中央側方立２９を備えている。中央側方立２９は左右に並んで配置した２つの方立２９ｃ、２９ｄを備えており、窓１は開口部３の見込寸法Ｗ（図２参照）内に収めてある。本実施の形態では、中央側方立２９を構成する方立２９ｃ、２９ｄは別部材としてあるが、２つの方立２９ｃ、２９ｄを合わせて一つの中央側方立２９を構成している。  
左方立２９ａと中央側方立２９との間、中央側方立２９と右方立２９ｂとの間には、各々ＦＩＸ障子３１が設けてあり、左縦枠２５ａと左方立２９ａとの間及び右縦枠２５ｂと右方立２９ｂとの間の各空間を開閉する開閉障子３３が各々設けてある。開閉障子３３は本実施の形態では、ＦＩＸ障子３１の室内側を走行可能な引戸障子である。  
各ＦＩＸ障子３１には地震や台風等の揺れに対してかかる荷重を吸収する荷重吸収部材３５が設けてあるが、この荷重吸収部材３５及びその取付け構造については、後述する。
【００１１】
左右の縦枠２５ａ、２５ｂは各々ねじ３４で対応する柱５ａ、５ｂに固定してあり（図３参照）、図２に示すように、上横枠２７ａはねじ３４で窓まぐさ９に固定してあり、下横枠２７ｂは窓台１５にねじ３４で固定してある。各ねじ３４は木ねじである。  
図１及び図４に示すように、左方立２９ａ及び右方立２９ｂはその下端部を各々下構造体７ｂに直接緊結している。直接緊結は、左方立２９ａ及び右方立２９ｂを主に基礎連結部材３７及びアンカーボルト３９を介して基礎１９に直接固定するものである。  
左方立２９ａ及び右方立２９ｂの直接緊結は同じ構成であるから、以下に、図４及び図５を参照して、左方立２９ａの直接緊結について説明し、右方立２９ｂの直接緊結については説明を省略する。基礎１９にはアンカーボルト３９が打ち込まれてナット４１で固定してあり、基礎連結部材３７にはその軸線方向の中空部３７ａ内にアンカーボルト３９を螺合するねじが形成してあり、連結金具４３がねじ４４で基礎連結部材３７の上端に固定してある。連結金具４３は基礎連結部材３７の上端に配置する底板部４３ａと、底板部４３ａから立ち上がる２つの略平行な側部４３ｂ、４３ｃとを有し、両側部４３ｂ、４３ｃを方立２９ａの下端から中空部３０内に挿入して、側方からねじ４６で固定してある。尚、窓台１５及び土台１７には、予め基礎連結部材３７を挿通する挿通孔４７（図５参照）が形成してある。  
【００１２】
次に、荷重吸収部材３５及び荷重吸収部材３５の取付け構造について説明する。  
図７に示すように、荷重吸収部材３５は降伏耐力を超える荷重を受けると塑性変形するものであり、図６及び図８（ｅ）に示すように、正面視長方形形状であり、長手方向中央位置に丸孔状の固着孔５３が形成してあり左右方向一方側に丸孔状の取付孔５４が形成してあり、左右方向他方側に長手方向に沿う長孔５５が形成してある。  
図２に示すように、上横枠２７ａとＦＩＸ障子３１の上枠４９との間には上補助枠５７が取り付けてあり、下横枠２７ｂとＦＩＸ障子３１の下枠５１との間には下補助枠５９が取り付けてある。各補助枠５７、５９と、対応するＦＩＸ障子３１の枠４９、５１及び荷重吸収部材３５との取付け構造は同じであるから、以下の説明では、上補助枠５７と、ＦＩＸ障子３１の上枠４９と、荷重吸収部材３５との関係について説明する。  
図２及び図８に示すように、上補助枠５７は断面略コ字形状を成しており、左右両端部側に丸孔状の固定孔６０が形成されている。図６及び図８に示すように、ＦＩＸ障子３１の上枠４９には、左右方向の各端部側に荷重吸収部材３５を取り付ける丸孔６１が形成してあり、その両側に上下方向の溝６３ａ、６３ｂが形成してあるが、荷重吸収部材３５の長孔５５と対応する溝６３ａは他方の溝６３ｂよりも長く形成しある。断面コ字状の上補助枠５７の内側にＦＩＸ障子３１の上枠４９を配置して、ＦＩＸ障子３１の上枠４９の断面コ字状の上端部の内側に荷重吸収部材３５を配置して、荷重吸収部材３５の固着孔５３を挿通するねじ６７で上補助枠５７、上枠４９及び荷重吸収部材３５を固定してある。  
また、ＦＩＸ障子３１の上枠４９の端部側に位置する溝６３ａには、荷重吸収部材３５の長孔５５に挿通するねじ６９で上補助枠５７、上枠４９及び荷重吸収部材３５を取付けてあり、長手方向で端部から離れた位置にある溝６３ｂには、荷重吸収部材３５の取付孔５４に挿通するねじ６８で取り付けてある。  
図６（ａ）に示すように、本実施の形態では、ＦＩＸ障子３１の上枠４９には左右方向に間隔をあけた２箇所に荷重吸収部材３５が同様に取付けてあり、ＦＩＸ障子３１の下枠５１にも上枠４９と対応する２箇所の合計４箇所に荷重吸収部材３５が取り付けてある。  
【００１３】
次に、本実施の形態にかかる窓１の施工について説明する。  
図４及び図５に示すように、予め、基礎１９、土台１７、窓台１５、下横枠２７ｂ及び下枠補助枠５９にアンカーボルト３９の径よりも大きな径の孔４７をあけておく。一方、窓１は左右縦枠２５ａ、２５ｂ、上下横枠２７ａ、２７ｂ及び中央側方立２９から成る枠Ｔ（図１参照）を組んでおく。  
基礎連結部材３７にアンカーボルト３９を螺合させて挿入し、アンカーボルト３９と共に基礎連結部材３７を土台１７、窓台１５の孔４７に挿入し、アンカーボルト３９の先端部は基礎１９の孔に挿入する。  
次に、基礎１９の孔とアンカーボルト３９との間に接着剤を充填し、接着剤が硬化する前にアンカーボルト３９の垂直出しを行ってから養生し、接着剤の硬化後、アンカーボルト３９から基礎連結部材３７を取り出し、ナット４１（図５参照）にてアンカーボルト３９を基礎１９に固定する。  
再び、アンカーボルト３９に基礎連結部材３７を取り付け、基礎連結部材３７の鉛直方向の微調整を行い、その後、基礎連結材３７に連結金具４３をねじ４４で固定する。
次に、枠Ｔの上下横枠２７ａ、２７ｂ及び左右縦枠２５ａ、２５ｂを各々ねじ３４で開口部３に取り付ける（図２及び図３参照）。  
そして、枠Ｔの中央側方立２９に当接させながら予め組んでおいた荷重吸収部材３５付きのＦＩＸ障子３１の上枠４９と下枠５１をねじ６９、６８で、各対応する補助枠５７、５９に取り付ける。  
次に、左方立２９ａと、右方立２９ｂを取り付けるが、各方立２９ａ、２９ｂの下端部は連結金具４３にねじ４６で固定し、左方立２９ａと右方立２９ｂの上端部は、上横枠２７ａにＬアングルで固定する。  
最後に開閉障子３３を取り付ける。  
【００１４】
図７を参照して、荷重吸収部材３５を取り付けたＦＩＸ障子３１の作用について説明する。地震や台風等により開口部３が水平荷重Ｐを受けると、ＦＩＸ障子３１にはこれを回転する方向の力（矢印Ｓ）が作用し、荷重吸収部材３５が降伏耐力を超える回転方向の荷重を受けると、荷重吸収部材３５の左右方向の長孔５５を挿通するねじ６９がＦＩＸ障子３１の各上枠４９及び下枠５１に形成した上下方向の溝６３を移動自在であるから、各荷重吸収部材３５が弓状に塑性変形する。この場合、左側の荷重吸収部材３５は中央を上側に突出するような弓型に変形し、右側の荷重吸収部材３５は中央を下側に突出するような弓型に変形することにより、地震等のエネルギーを吸収し、建物の耐震性を確実に向上できる。  
【００１５】
次に、第１実施の形態にかかる窓１の作用効果について説明する。  
第１実施の形態にかかる窓１を、左右の柱５ａ、５ｂと上下の構造体７ａ、７ｂとで形成される開口部３に取付けることで、古い家屋等を耐震補強できる。
また、窓１において、各縦枠２５ａ、２５ｂ及び横枠２７ａ、２７ｂや、各方立２９、２９ａ、２９ｂ、ＦＩＸ障子３１及び開閉障子３３に断熱性を有するものを用いることにより、外障子２１と共に構成した二重窓にすることができるので、室内の断熱性を高めることができる。  
左右の方立２９ａ、２９ｂは、基礎１９に埋め込んだアンカーボルト３９に固定しているので、高い耐震強度を得ることができる。  
窓１は開口部３の見込寸法Ｗ内に収めてあるから、室内側見付面や室外側見付面に飛び出している部分がないので、収まりが良く、飛び出し部分を隠すふかし枠等が不要であるから施工し易い。  
【００１６】
図１及び図２に示すように、左右の縦枠２５ａ、２５ｂと上下の横枠２７ａ、２７ｂは、枠組みした枠Ｔの状態で、開口部３に、室内側から挿入して固定しているので、室内側からの作業で且つ簡単に開口部を補強できる。  
図１に示すように、窓１には開閉障子３３を設けているので、開閉障子３３を開くことで空間を出入り口や窓等として利用することができる。  
左方立２９ａ及び右方立２９ｂは、下端部を基礎連結部材３７及びアンカーボルト３９を介して基礎１９に固定しているので、各方立２９ａ、２９ｂに発生する引抜力を基礎１９で保持することができる。  
【００１７】
ＦＩＸ障子３１の上横枠２７ａ及び下横枠２７ｂに荷重吸収部材３５を設けて、地震等のエネルギーを吸収するので、荷重の伝達ルートが明確であり、荷重吸収部材３５に所定の塑性変形を生じさせて地震等のエネルギーを吸収させて、建物の耐震性を向上させることができる。  
また、荷重吸収部材３５の形状や材質の異なるものを用いることで、荷重や振動の吸収性を簡単に変更でき、荷重−変形性能（剛性、耐力、変形能力）を制御できる。  
荷重吸収部材３５は、ＦＩＸ障子３１の上横枠２７ａや下横枠２７ｂとは別体とし、上横枠２７ａ、下横枠２７や補助枠５７、５９に孔や溝を加工するだけで済むから、施工コストを低減できる。  
【００１８】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図９及び図１０を参照して、本発明の第２実施の形態にかかる窓１について説明する。この第２実施の形態にかかる窓１は、左方立２９ａ及び右方立２９ｂの下端部を間接的に下構造体７ｂに緊結してあることが、直接緊結してある第１実施の形態と異なっている。
その他の構造は、第１実施の形態と略同じであるから、以下の説明では、左方立２９ａの下端部の間接緊結について説明する。  
図１０に示すように、間接緊結構造は、ブラケット７１と、コーチボルト７３とを備えており、窓台１５及び下横枠２７ｂには、各々コーチボルト７３の挿通孔７２が形成してある。  
ブラケット７１は、底壁７１ａと３方の側壁７１ｂを有しており、左方立２９ａの下端部の側壁にはブラケット７１の挿入孔７４が形成してあり、挿入孔７４からブラケット７１を左方立２９ａ内に挿入して、このブラケット７１の側壁７１ｂをねじ７０で固定している。  
窓台１５と土台１７との間には補強用木材７５が設けてあり、コーチボルト７３はブラケット７１の底壁７１ａの孔に上から挿通して底壁７１ａに頭を係止するようにして、補強用木材７５及び土台１７に固定してある。  
コーチボルト７３に近接する位置では、土台１７はアンカーボルト３９で基礎１９に固定してある。  
【００１９】
次に、間接緊結の施工手順について説明する。  
予め、左右の縦枠２５ａ、２５ｂ、上下の横枠２７ａ、２７ｂ及び中央側方立２９からなる枠Ｔを組んでおく。土台１７において、左方立２９ａの直下近辺にアンカーボルトがあるかないかを目視にて確認し、ない場合にはアンカーボルトを設置する。アンカーボルト３９の設置は、基礎１９、土台１７にナット４１、座金４２やアンカーボルト３９の径よりも大きめの径の孔をあけて、基礎１９に接着剤とアンカーボルト３９を挿入し、接着剤が硬化するまで養生する。接着剤が硬化したら、座金４２とナット４１を上方からアンカーボルト３９に入れて緊結する。  
左方立２９ａの真下となる位置で、土台１７と窓台１５の間に補強用木材７５を配置して、木ビス等で固定する。  
その後、枠Ｔの縦枠２５ａ、２５ｂ及び横枠２７ａ、２７ｂを開口部３にねじ３４で取り付ける。  
次に、図１０（ａ）に示すように、左方立２９ａの下端部と当接する下横枠２７ｂの位置にブラケット７１の位置決めをし、ブラケット７１は底壁７１ａに上から挿通するコーチボルト７３で固定する。コーチボルト７３はブラケット７１、下横枠２７ｂ、窓台１５及び補強用木材７５を貫通して土台１７に達して固定する。  
そして、図９に示すように、枠Ｔの中央側方立２９に当接させながら予め組んでおいた荷重吸収部材付きのＦＩＸ障子３１の上枠４９及び下枠５１を各々対応する補助枠５７、５９にねじ６９、６８で取り付ける。  
次に、図１０（ｂ）に示すように、挿入孔７４からブラケット７１を左方立２９ａ内に挿入して、左方立２９ａの下端部は、ブラケット７１にねじ７０で固定する。  
尚、左方立２９ａの上端部と上横枠２７ａはＬアングル等で固定する。  
右方立２９ｂ及び右側のＦＩＸ障子３１についても、上述した左方立２９ａ及び左側のＦＩＸ障子３１と同様に、施工する。  
最後に、枠Ｔ内に開閉障子３３を取り付ける。  
【００２０】
この第２実施の形態によれば、上述した第１実施の形態と同様の作用効果を奏することができる。  
【００２１】
図１１及び図１２を参照して本発明の第３実施の形態にかかる窓１を説明する。この窓１は、左右の縦枠２５ａ、２５ｂ間に配置した中央側方立２９と、右縦材２８ｂが設けてある。右縦材２８ｂは、右縦枠２５ｂ（一方の縦枠）に隣接して設けてある。中央側方立２９は、右縦材２８ｂと左縦枠（他方の縦枠）２５ａ間に配置してある。右縦材２８ｂと中央側方立２９との間にＦＩＸ障子３１を配置し、左縦枠（他方の縦枠）２５ａと中央側方立２９との間の空間を開閉する開閉障子３３を配置しており、中央側方立２９及び右縦材２８ｂはアンカーボルト３９で下構造体７ｂに直接緊結している。直接緊結の構成及び方法は第１実施の形態と同様である。また、第１実施の形態と同様に、ＦＩＸ障子３１の上枠４９及び下枠５１には荷重吸収部材３５が設けてある。  
この第３実施の形態によれば、第１実施の形態と同様の作用効果を奏することができる。  
【００２２】
図１３を参照して本発明の第４実施の形態にかかる窓１を説明する。この窓１は、第３実施の形態と同様に、右縦枠２５ｂに隣り合う右縦材２８ｂと、方立（中央側方立）２９との間にＦＩＸ障子３１を配置し、左縦枠（他方の縦枠）２５ａと方立２９との間の空間を開閉する開閉障子３３を配置している。この第４実施の形態では、方立２９及び右縦材２８ｂは下構造体７ｂに間接緊結している点が第３実施の形態と異なっている。間接緊結の構成及び方法は第２実施の形態と同様である。また、第１実施の形態と同様に、ＦＩＸ障子３１の上枠４９及び下枠５１には荷重吸収部材３５が設けてある。  
この第４実施の形態によれば、第３実施の形態と同様の作用効果を奏することができる。  
【００２３】
図１４及び図１５を参照して本発明の第５実施の形態にかかる窓１を説明する。この窓１は、図９及び図１０に示す第２実施の形態との比較において、開口部３に設けた左右の方立２９ａ、２９ｂ間の空間を開閉する２枚の開閉障子３３、３３を隣り合わせに設けてあり、左縦枠２５ａに隣り合う左縦材２８ａと左方立２９ａとの間、右縦枠２５ｂに隣り合う右縦材２８ｂと右方立２９ｂとの間に、各々荷重吸収部材３５付きのＦＩＸ障子３１を設けている点が第２実施の形態と異なっている。また、この第５実施の形態では、各左右の方立２９ａ、２９ｂ、左縦材２８ａ及び右縦材２８ｂの各下端部は間接的に下構造体７ｂに緊結してあり、この緊結構造及び方法は第２実施の形態と同様である。更に、左右の各縦枠２５ａ、２５ｂは各々対応する柱５ａ、５ｂにねじ３４で固定してある。  
この第５実施の形態によれば、第２実施の形態と同様の作用効果を奏することができる。  
【００２４】
図１６及び図１７を参照して本発明の第６実施の形態にかかる窓１を説明する。この窓１は、図１１に示す第３実施の形態において、右縦材２８ｂと中央側方立（方立）２９との間に配置したＦＩＸ障子３１の上枠４９及び下枠５１に設けた荷重吸収部材３５の設置位置を中央側方立２９と縦枠２５ｂに位置を変更して設けたものである。荷重吸収部材３５及び荷重吸収部材３５を取り付ける中央側方立２９及び補助枠５７、５９の形状、材質は第３実施の形態と同様であり、第３実施の形態と同様の作用効果を奏することができる。  
尚、ＦＩＸ障子３１の左縦枠５２の上側及び右縦枠５６の上側に設けた荷重吸収部材３５は中央を右側（水平荷重Ｐに沿う側）に突出するような弓型に変形し、左縦枠５２の下側及び右縦枠５６の下側に設けた荷重吸収部材３５は中央部を左側（水平荷重Ｐに対向する側）に突出するような弓型に変形することにより、地震等のエネルギーを吸収する。  
【００２５】
図１８〜図２５を参照して本発明の第７実施の形態について説明する。  
図１８に示すように、開口部３の内周に取り付ける窓１は、左右の縦枠２５ａ、２５ｂと、上横枠２７ａと、下横枠２７ｂと、上横枠２７ａと下横枠２７ｂとの間に架設した左方立２９ａ、右方立２９ｂと、中央側方立２９を備えている。図２０に示すように、中央側方立２９は左右に並んだ２つの方立２９ｃ、２９ｄを一体に形成したものであり、左方立２９ａに対する右方立２９ｃと、右方立２９ｂに対する左方立２９ｄを備えている。
左方立２９ａと中央側方立２９との間、中央側方立２９と右方立２９ｂとの間には、各々ＦＩＸ障子３１が設けてあり、左縦枠２５ａと左方立２９ａとの間及び右縦枠２５ｂと右方立２９ｂとの間の各空間を開閉する開閉障子３３が各々設けてある。  
図２０に示すように、各方立２９ａ、２９ｂ、２９と、ＦＩＸ障子（パネル体）３１の左右端部が係合しており、ＦＩＸ障子３１の左右端部は各方立２９ａ、２９ｂ、２９に設けた気密材３２ａに押縁３２ｂで押えて取り付けている。  
【００２６】
本実施の形態では、開閉障子３３と、開閉障子３３が走行する上横枠２７ａと、下横枠２７ｂとで開閉障子部３３Ａを構成している。  
各ＦＩＸ障子３１の周囲部分には、地震や台風等の揺れに対してかかる荷重を吸収する荷重吸収部材３５及び上述した各方立２９ａ、２９ｂ、２９が設けてあり、ＦＩＸ障子３１とその左右の方立２９ａ、２９ｂ、２９でＦＩＸ障子部３１Ａを構成していると共にＦＩＸ障子部３１Ａは耐震補強装置でもある。荷重吸収部材３５及びＦＩＸ障子３１の周囲部分については後述する。  
【００２７】
図１８に示すように、左右の縦枠２５ａ、２５ｂは各々ねじ３４で対応する柱５ａ、５ｂに固定してあり（図２０参照）、図１９に示すように、上横枠２７ａはねじ３４で窓まぐさ９に固定してあり、下横枠２７ｂは窓台１５にねじ３４で固定してある。  
図１８に示すように、上横枠２７ａは荷重吸収部材３５に近接する位置には、ねじ３４の数を多くしてあり、荷重吸収部材３５から離れた位置での固定部分と比較して、ねじ３４の間隔を狭くしてある。  
また、図１８及び図１９に示すように、下横枠２７ｂにおいて、荷重吸収部材３５がある位置では、下横枠２７ｂは土台１７との間に補強用木材７５を介してコーチボルト７３で土台１７に固定してある。  
土台１７は、アンカーボルト３９で基礎１９に固定してある。  
【００２８】
次に、第７実施の形態における荷重吸収部材３５及び荷重吸収部材３５の取付け構造について説明する。  
図２４に示すように、荷重吸収部材３５は、正面視長方形形状のバネ板５５を複数枚重ねてあり、長手方向に間隔をあけて２つの固着孔５３が形成してあり、２つの固着孔５３を挟んだ左側及び右側に各々取付孔５４が形成してある。固着孔５３には固定部材５３ａが挿通してり、取付孔５４には、ＦＩＸ障子３１の上枠４９に係合する係合部材５４ａを挿通してある。  
図２４及び図２５に示すように、ＦＩＸ障子３１の上枠４９には、荷重吸収部材３５を取り付ける２つの丸孔６１が形成してあり、その両側に上下方向の溝６３ａ、６３ｂが形成してある。上補助枠５７の内側にＦＩＸ障子３１の上枠４９を配置して、ＦＩＸ障子３１の上枠４９の断面コ字状の上端部の内側に荷重吸収部材３５を配置して、荷重吸収部材３５の固着孔５３を挿通する固定部材５３ａで上枠４９及び荷重吸収部材３５を固定してある。  
また、ＦＩＸ障子３１の上枠４９の溝６３ａ、６３ｂには、荷重吸収部材３５に挿通した係合部材５４ａで上補助枠５７、上枠４９及び荷重吸収部材３５を取付けてある。  
図２５に示すように、第７実施の形態でも第１実施の形態と同様に、ＦＩＸ障子３１の上枠４９には左右方向に間隔をあけた２箇所に荷重吸収部材３５が同様に取付けてあり、ＦＩＸ障子３１の下枠５１にも上枠４９と対応する２箇所の合計４箇所に荷重吸収部材３５が取り付けてある。  
尚、図１９に示すように、ＦＩＸ障子３１において、パネル（ガラス）８８と下枠５１との間にはセッティングブロック５８を下枠５１のパネル取付溝の長手方向に間隔をあけて設けてある。  
【００２９】
次に、第７実施の形態にかかる窓１の施工について説明する。  
図２１に示すように、（ａ）四周枠ユニットの組み立て工程では、左右の縦枠２５ａ、２５ｂを上横枠２７ａと下横枠２７ｂとにタッピングネジ８１で固定する。上横枠２７ａ、下横枠２７ｂに各々ブラケット８２を上下方向から止めるねじ８４で取り付ける。次に、各ブラケット８２に各左右の方立２９ａ、２９ｂ及び中央側方立２９を取り付けた後、左右方向から止めるねじ８５で固定する。  
次に、上補助枠５７を上横枠２７ａに、下補助枠５９を下横枠２７ｂに、各々上横枠２７ａ及び下横枠２７ｂに予め取り付けられた裏板８６にビス８７（図１９参照）で固定する。この（ａ）四周枠ユニットの組み立て工程は工場で行う。  
一方、（ｂ）ＦＩＸ障子の組み立て工程では、ガラス（パネル）８８にグレイジングチャンネルを巻き付け、ガラス８８を上枠４９、下枠５１、左右の縦枠５０ａ、５０ｂのガラス挿入溝に入れて、左右の縦枠５０ａ、５０ｂを上枠４９と下枠５１とにタッピングビス８９で固定する。この（ｂ）ＦＩＸ障子の組み立て工程は工場で行う。  
その後、図２２（ｃ）四周枠ユニットの躯体への取り付け工程で示すように、図２１（ａ）で組み立てた四周枠ユニットＴを躯体開口部３に位置決めする。そして、木ねじ３４及びコーチボルト７３で躯体に取り付ける。木ねじ３４は四周枠全周に取り付け、コーチボルト７３は下横枠２７ｂに配置した下補助枠５９と共に下横枠２７ｂの所定位置に取り付ける。尚、図１８に示すように、荷重吸収部材３５に近接する位置では木ねじ３４は密な間隔で取り付ける。  
次に、図２２（ｄ）ＦＩＸ障子の建てこみ工程では、ＦＩＸ障子３１を上補助枠５７及び下補助枠５９に対して、面外方向からけんどんで入れる。  
そして、図２３（ｅ）押縁、目板の取付け工程では、押縁９１を面外方向から取付け、ビスで固定する。また、目板９２を嵌め込む。  
次に、図２３（ｆ）開閉障子の建こみ工程で示すように、開閉障子３３を建て込んで、建て付け調整をする。  
【００３０】
図２５を参照して、第７実施の形態にかかる荷重吸収部材３５を取り付けたＦＩＸ障子３１の作用について説明する。地震や台風等により開口部３が水平荷重Ｐを受けると、第１実施の形態と同様に、左側の荷重吸収部材３５は中央を上側に突出するような弓型に変形し、右側の荷重吸収部材３５は中央を下側に突出するような弓型に変形することにより、地震等のエネルギーを吸収し、建物の耐震性を確実に向上できる。  
【００３１】
次に、第７実施の形態にかかる窓１の作用効果について説明する。  
図１８に示すように、第７実施の形態にかかる窓１を、左右の柱５ａ、５ｂと上下の構造体７ａ、７ｂとで形成される開口部３に取付けることで、耐震化を図ることができる。
また、開閉障子３３を設けて、ＦＩＸ障子３１に隣接する空間を開閉するようにしているので、出入りや通風を図ることができる。  
図１９に示すように、上横枠２７ａとＦＩＸ障子（パネル体）３１の間に上補助枠５７が設けてあり、下横枠２７ｂとＦＩＸ障子３１の間に下補助枠５９が設けてあり、各補助枠５７、５９で荷重吸収部材３５の収納空間を形成しているから、荷重吸収部材３５の収納スペースを容易に確保できる。  
図２０に示すように、各方立２９ａ、２９ｂ、２９と、ＦＩＸ障子（パネル体）３１の左右端部が係合しており、ＦＩＸ障子３１の左右端部は方立２９ａ、２９ｂ、２９に設けた気密材３２ａに押縁３２ｂで押えているので、耐震強度及び水密性を向上できる。  
また、窓１において、各左右縦枠２５ａ、２５ｂ、上横枠２７ａ及び下横枠２７ｂや、各方立２９、２９ａ、２９ｂ、ＦＩＸ障子３１及び開閉障子３３に断熱性を有するものを用いることにより、外障子２１と共に構成した二重窓にすることができるので、室内の断熱性を高めることができる。  
【００３２】
図２１に示すように、左右縦枠２５ａ、２５ｂと上下横枠２７ａ、２７ｂは、枠組みした枠Ｔの状態で、開口部３に、室内側から挿入して固定しているので、室内側からの作業で且つ簡単に開口部の耐震化を図ることができる。  
図１８及び図１９に示すように、ＦＩＸ障子３１の上枠４９及び下枠５１に荷重吸収部材３５を設けて、地震等のエネルギーを吸収するので、荷重の伝達ルートが明確であり、荷重吸収部材３５に所定の塑性変形を生じさせて地震等のエネルギーを吸収させて、建物の耐震性を向上させることができる。  
また、荷重吸収部材３５の形状や材質の異なるものを用いることで、荷重や振動の吸収性を簡単に変更でき、荷重−変形性能（剛性、耐力、変形能力）を制御できる。  
荷重吸収部材３５は、ＦＩＸ障子３１の上枠４９や下枠５１とは別体とし、上枠４９、下枠５１や補助枠５７、５９に孔や溝を加工するだけで済むから、施工コストを低減できる。  
ＦＩＸ障子３１において、パネル（ガラス）８８と下枠５１との間にはセッティングブロック５８を設けてあるから、パネル８８の結露水排水を容易にできる。  
【００３３】
図２６〜図２８を参照して、本発明の第８実施の形態にかかる窓１について説明する。この第８実施の形態にかかる窓１は、左縦枠２５ａ側と右縦枠２５ｂ側にそれぞれＦＩＸ障子３１を設け、左右のＦＩＸ障子３１、３１間の空間を開閉する２枚の開閉障子３３、３３を隣り合わせに設けてある。また、コーチボルト７３はＦＩＸ障子３１の下枠５１に設けた荷重吸収部材３５に対応した位置に取り付けてある。  
また、中央側方立２９は設けずに左縦材２８ａに対向する左方立２９ａと右縦材２８ｂに対向する右方立２９ｂを設けてある。  
この第８実施の形態によれば、第７実施の形態と同様の作用効果を奏することができる。  
【００３４】
図２９〜図３１を参照して、本発明の第９実施の形態にかかる窓１を説明する。この窓１は、ＦＩＸ障子部３１Ａと開閉障子部３３Ａを隣り合わせに１つずつ設けたものであり、右側にＦＩＸ障子部３１Ａを左側にＦＩＸ障子部３１Ａと左縦枠２５ａとの空間を開閉する開閉障子部３３Ａを設けてある。  
また、第７実施の形態と同様に、ＦＩＸ障子３１の上枠４９及び下枠５１には荷重吸収部材３５が設けてある。  
この第９実施の形態によれば、第７実施の形態と同様の作用効果を奏することができる。  
【００３５】
図３２を参照して本発明の第１０実施の形態にかかる窓１を説明する。この第１０実施の形態にかかる窓１では、図１６及び図１７に示す第６実施の形態において、右縦材２８ｂと中央側方立（方立）２９との間に配置したＦＩＸ障子３１を上下方向に複数配置したものである。この実施の形態では４枚のＦＩＸ障子３１を上下設けている。そして、ＦＩＸ障子３１の各縦枠５２、５６に荷重吸収部材３５を設けている。荷重吸収部材３５は１枚のＦＩＸ障子３１に対して各縦枠５２、５６に２個ずつ設けてある。また、この第５実施の形態では、下横枠２７ｂにおいて荷重吸収部材３５の直下にある個所には、コーチボルト７３による下横枠２７ｂから土台１７間の緊結はしない。  
この第１０実施の形態によれば、開口部３の耐震化を図ることができる。  
【００３６】
本発明は、上述した実施の形態に限らず、本発明の要旨を逸脱しない範囲で種々変形可能である。  
例えば、縦枠２５ａ、２５ｂ、横枠２７ａ、２７ｂ、方立２９、２９ａ、２９ｂ、縦材２８ａ、２８ｂの各部材の材質は限定されず、アルミニウム合金や鋼材等の金属材であっても良いし、樹脂材であっても良い。ＦＩＸ障子３１及び開閉障子３３の面材もガラスに限らず、ポリカーボネート等の透明樹脂材であっても良い。  
開閉障子３３は、引戸障子に限らず、蝶番を中心に搖動する障子等の開き障子であっても良い。  
開閉障子３３は、第１及び第２実施の形態では、左縦枠２５ａと左方立２９ａとの間及び右縦枠２５ｂと右方立２９ｂとの間の各室内側に設け、第３及び第４実施の形態では、左縦枠（他方の縦枠）２５ｂと中央側方立２９との間の室内側に設け、第５実施の形態では、左右の方立２９ａ、２９ｂ間の室内側に設けたが、各実施の形態において、対応する方立と縦枠間又は方立間の室外側に設けても良い。  
更に、開閉障子３３が開き障子の場合には、各実施の形態において、対応する縦枠２５ａ、２５ｂと方立２９ａ、２９ｂ間及び方立２９ａ、２９ｂ間に開閉障子３３を設けても良い。  
家屋の１階の場合には、下構造体７ｂは基礎１９及び土台１７であり、上構造体７ａは梁であったが、２階の場合には、下構造体７ａは下側にある梁であり、上構造体は上側にある梁である。  
図１４及び図１５に示す第５実施の形態において、各縦材２８ａ、２８ｂ及び左右の方立２９ａ、２９ｂの下端部は、図１に示す第１実施の形態と同様に下構造体７ｂに直接緊結しても良い。  
第３〜第５実施の形態において、縦枠２５ａ、２５ｂに隣り合う縦材２８ａ、２８ｂは、対応する縦枠２５ａ、２５ｂに固定している場合には、各縦材２８ａ、２８ｂに換えて、各縦枠２５ａ、２５ｂの下端部を上述した直接緊結又は間接緊結と同様にして、下構造体７ｂに緊結しても良い。  
第１〜第５実施の形態において、ＦＩＸ障子３１に取り付ける荷重吸収部材３５は、図１６及び図１７に示す第６実施の形態のように、ＦＩＸ障子３１の左右の縦枠５２、５６に設けるものであっても良い。また、各実施の形態にいて、ＦＩＸ障子３１には、その上枠４９及び下枠５１（図６参照）と、左縦枠５２及び右縦枠５６（図１６参照）との四周に荷重吸収部材３５を設けても良い。  
第１及び第２実施の形態において、更に中央側方立２９を構成する各方立２９ｃ、２９ｄの何れか一方の下端部も、下構造体７ｂに直接又は間接的に緊結してもよい。  
第１及び第２実施の形態において、中央側方立２９は２つの方立２９ｃ、２９ｄから構成することに限らず、一体とした一つの方立であっても良い。  
また、各実施の形態において、各方立２９ａ、２９ｂ、２９はブラケット８２を介して上横枠２７ａには下から、下横枠２７ｂには上からねじ８４で固定したが、見込方向から止めるねじで固定しても良い。また、ブラケット８２を介さずに上横枠２７ａ及び下横枠２７ｂに各々上下方向又は見込方向から止めるねじで固定しても良い。  
第７〜第１０実施の形態において、図２１及び図２２に示すように、左右上下枠２５ａ、２５ｂ、２７ａ、２７ｂを枠組みして上下横枠２７ａ、２７ｂに方立２９ａ、２９ｂ、２９を取り付けた四周枠ユニットＴを開口部３に取り付けたが、これに限らず、枠組みをすることなく、開口部３に左縦枠２５ａ、右縦枠２５ｂ、上横枠２７ａ、下横枠２７ｂを各々取り付けて、その後に各方立２９ａ、２９ｂ、２９を取り付けて施工しても良い。  
【符号の説明】
【００３７】
１    窓
３    開口部
５ａ  左柱
５ｂ  右柱
７ａ    上構造体
７ｂ    下構造体
２５ａ  左縦枠
２５ｂ  右縦枠
２７ａ  上横枠
２７ｂ  下横枠
２８ａ  左縦材
２８ｂ  右縦材
２９    中央側方立
２９ａ  左方立
２９ｂ  右方立
２９ｃ  左方立
２９ｄ  右方立
３１    ＦＩＸ障子
３３    開閉障子
３５    荷重吸収部材
【図１】
0006506586.tif 000002
【図２】
0006506586.tif 000003
【図３】
0006506586.tif 000004
【図４】
0006506586.tif 000005
【図５】
0006506586.tif 000006
【図６】
0006506586.tif 000007
【図７】
0006506586.tif 000008
【図８】
0006506586.tif 000009
【図９】
0006506586.tif 000010
【図１０】
0006506586.tif 000011
【図１１】
0006506586.tif 000012
【図１２】
0006506586.tif 000013
【図１３】
0006506586.tif 000014
【図１４】
0006506586.tif 000015
【図１５】
0006506586.tif 000016
【図１６】
0006506586.tif 000017
【図１７】
0006506586.tif 000018
【図１８】
0006506586.tif 000019
【図１９】
0006506586.tif 000020
【図２０】
0006506586.tif 000021
【図２１】
0006506586.tif 000022
【図２２】
0006506586.tif 000023
【図２３】
0006506586.tif 000024
【図２４】
0006506586.tif 000025
【図２５】
0006506586.tif 000026
【図２６】
0006506586.tif 000027
【図２７】
0006506586.tif 000028
【図２８】
0006506586.tif 000029
【図２９】
0006506586.tif 000030
【図３０】
0006506586.tif 000031
【図３１】
0006506586.tif 000032
【図３２】
0006506586.tif 000033